(57)【要約】【課題】  走査モジュールがＡＤＦ走査位置上に正確に位置付けされ得るＡＤＦスキャナーを提供する。【解決手段】  本考案に係る自動文書フィーダースキャナーは、筐体と、自動文書フィーダーと、自動文書フィーダーの底面上に設置された所定パターンと、走査モジュールと、所定パターンの画像データを分析し走査モジュールとＡＤＦ走査位置との距離を同定し得るプロセッサとを有する。【選択図】  図３
0003109830.tif 000002
【実用新案登録請求の範囲】
【請求項１】
正確に第１走査位置上に位置付け得る走査モジュールを有する自動文書フィーダースキャナーであって：
筐体；
第１文書を運搬する、前記筐体上に設置された自動文書フィーダー；
前記自動文書フィーダーの底面上に設置され、前記第１走査位置に対して第１特異相対位置を有する第１所定パターン；
前記第１文書の画像データを取り込む、前記筐体に設置された走査モジュール；及び
前記走査モジュールと前記自動文書フィーダーとを制御し、前記走査モジュールで取り込まれた第１所定パターンの画像データを解析して前記走査モジュールと前記第１走査位置との距離を同定する、前記筐体に設置されたプロセッサ；
を備えることを特徴とする自動文書フィーダースキャナー。
【請求項２】
前記第１走査位置上に位置付けされた前記走査モジュールは、前記自動文書フィーダーで運搬された前記第１文書の全体を取り込み得ることを特徴とする請求項１に記載の自動文書フィーダースキャナー。
【請求項３】
前記第１所定パターンは、直角二等辺三角形であり、通過する前記走査モジュールに沿った移動線に垂直な第１側面と、該第１側面に対応する頂角であって前記第１走査位置に対して前記第１特異相対位置の関係を有する頂角とを有することを特徴とする請求項１に記載の自動文書フィーダースキャナー。
【請求項４】
前記直角二等辺三角形は、立体であり、
前記プロセッサは、前記走査モジュールで取り込まれた前記第１所定パターンの長さを測定して、前記走査モジュールと前記第１走査位置との距離を同定することを特徴とする請求項３に記載の自動文書フィーダースキャナー。
【請求項５】
前記直角二等辺三角形は、中空であり、
前記プロセッサは、前記走査モジュールで取り込まれた前記第１所定パターンの２つの終点間の距離を測定して、前記走査モジュールと前記第１走査位置との距離を同定することを特徴とする請求項３に記載の自動文書フィーダースキャナー。
【請求項６】
前記プロセッサは、ホーム位置から前記第１走査位置へと移動するように、前記走査モジュールを制御可能であり、
前記第１所定パターンは、前記ホーム位置から前記第１走査位置へと移動する前記走査モジュールが前記第１所定パターンを取込み得る、前記自動文書フィーダーの底面の領域上に設置されることを特徴とする請求項１に記載の自動文書フィーダースキャナー。
【請求項７】
前記第１所定パターンの画像データを長さに対してマッピングしてマッピングテーブルに保存するメモリをさらに備え、
前記プロセッサは、前記走査モジュールで取り込まれた前記第１所定パターンの画像データをマッピングして前記マッピングテーブルに保存し、且つ、前記の取り込まれた画像データに対応する長さを発見し、且つ、前記走査モジュールと前記第１走査位置との距離を同定することを特徴とする請求項１に記載の自動文書フィーダースキャナー。
【請求項８】
第１文書が載置される透明文書ボードと、
該透明文書ボードの底面上に設置された第２所定パターンとをさらに備え、
前記第２所定パターンは、第２走査位置と第２特異関係位置を有し、
前記プロセッサは、前記走査モジュールで取り込まれた前記第２所定パターンの画像データを解析して、前記走査モジュールと前記第２走査位置との距離を同定する能力をさらに備えることを特徴とする請求項１に記載の自動文書フィーダースキャナー。
【請求項９】
正確に第１走査位置上に位置付け得る走査モジュール有する自動文書フィーダースキャナーであって：
筐体；
第１文書を運搬し、底面と該底面上に設置された第１所定パターンとを有する、前記筐体上に設置された自動文書フィーダー；
前記自動文書フィーダーの底面上に設置され、前記第１走査位置に対して第１特異相対位置関係を有する、第１所定パターン；
前記第１文書の画像データを取り込む、前記筐体に設置された走査モジュール；
前記走査モジュールで取り込まれた前記第１所定パターンの画像データを、種々の第１長にマッピングして、第１マッピングテーブルに保存する、前記筐体に設置されたメモリ；及び
前記走査モジュールと前記自動文書フィーダーとを制御し、前記走査モジュールで取り込まれた前記第１所定パターンの取込画像データに基づいて前記マッピングテーブルの取込画像データに対応する第１長を発見し、且つ、発見された第１長に基づいて、前記走査モジュールと前記第１走査位置との距離を同定する、前記筐体に設置されたプロセッサ；
を備えることを特徴とする自動文書フィーダースキャナー。
【請求項１０】
前記第１走査位置上に位置付けられた前記走査モジュールは、前記自動文書フィーダーで運搬された前記第１文書の全体を取り込み得ることを特徴とする請求項９に記載の自動文書フィーダースキャナー。
【請求項１１】
前記プロセッサは、ホーム位置から前記第１走査位置へと移動するように前記走査モジュールを制御可能であり、
前記第１所定パターンは、前記ホーム位置から前記第１走査位置へと移動する前記走査モジュールが前記第１所定パターンを取込得る、前記自動文書フィーダーの前記底面の領域上に設置されることを特徴とする請求項９に記載の自動文書フィーダースキャナー。
【請求項１２】
載置される第２文書用の透明文書ボードと、該透明文書ボードの底面上に設置される第２所定パターンと、前記走査モジュールで取り込まれた前記第２所定パターンの画像データを種々の長さにマッピングする、前記に保存された第２マッピングテーブルとをさらに備え、
前記プロセッサは、前記第２マッピングテーブルの前記走査モジュールで取り込まれた前記第２所定パターンの画像データに対応する第２長を発見する能力と、前記走査モジュールと前記第２長に基づいて、前記透明文書ボードに対応する第２走査位置との距離を同定する能力とをさらに備えることを特徴とする請求項９に記載の自動文書フィーダースキャナー。
【請求項１３】
筐体；
文書を運搬する、前記筐体上に設置された自動文書フィーダー；
前記文書の画像データを取り込む、前記筐体に設置された走査モジュール；
前記自動文書フィーダーと前記走査モジュールが前記筐体に配置されている位置との相対位置関係を検知する、前記筐体に設置された位置検出器；及び
前記自動文書フィーダーと前記走査モジュールが前記筐体に配置されている位置との相対位置関係に基づいて前記走査モジュールの動きを制御し、且つ、前記自動文書フィーダーで運搬された前記文書の画像データを取り込むように前記走査モジュールを制御する、前記筐体に設置されたプロセッサ；
を備えることを特徴とする自動文書フィーダースキャナー。
【考案の詳細な説明】
【技術分野】
【０００１】
本考案は、スキャナーに係り、特に、ＡＤＦスキャン位置を正確に位置付け可能な走査モジュールを有する自動文書フィーダー（ＡＤＦ）スキャナーに関する。
【背景技術】
【０００２】
一般に、スキャナーは、バーコードスキャナー、フラットベッドスキャナー、単一シート供給スキャナー及び自動文書フィーダー（ＡＤＦ）スキャナーという４つの種類に分類され得る。
【０００３】
バーコードスキャナーは、その名の示す通り、バーコードデータを取り込むように設計される。
【０００４】
フラットベッドスキャナーは、文書を載置する透明文書ボードと、透明文書ボード上に載置された文書のデータを取り込む走査モジュールと、プロセッサとを有する。なお、プロセッサは、透明文書ボードの第一端部の下部に位置して上記の走査モジュールをホーム位置から走査位置へと移動するのを制御し、且つ、走査モジュールを上記の走査位置から透明文書ボードの全体を介して移動するのを制御して、文書のデータを取り込む。
【０００５】
単一シート供給スキャナーは、走査モジュールと、この走査モジュールをホーム位置から走査位置へと移動するのを制御可能なプロセッサと、文書を搬送するためプロセッサにより制御されるシート供給装置とを備える。走査モジュールを走査位置から透明文書ボードの全体を介して移動させるように制御し文書データを取り込むフラットベッドスキャナーのプロセッサと異なり、単一シート供給スキャナーのプロセッサは、シート供給装置を制御して、走査位置上に位置される走査モジュールを介して移動するように文書を運搬させ、且つ、スキャナーを制御して文書データを取り込む。
【０００６】
機能性に着目すると、ＡＤＦスキャナーは、フラットベッドスキャナーと単一シート供給スキャナーとで構成される。図１及び図２を参照すると、先行技術によるＡＤＦスキャナー１０に関する２つの概略図である。ＡＤＦスキャナー１０は、筐体１２と、走査準備の完了した文書１１を載置する筐体１２上に設置された透明文書ボード１４と（図１参照）、透明文書ボード１４上に載置された文書１１をカバーする、筐体１２上に設置された文書カバー１６と、筐体１２に設置されたプロセッサ１８と、載置された数十又は数百の文書１３用に、ＡＤＦ２２の自動フィーダーホール２４の前面に取り付けられたペーパーシュート２６と、透明文書ボード１４上に載置された文書１１やペーパーシュート２６上に載置された文書１３などの、文書出力ホールから出力された文書１３を収集する、ＡＤＦ２２の文書出力ホール（図示せず）の前面に取り付けられた文書スタッカー２８と、筐体１２上に取り付けられ自動フィーダーホール２４から走査モジュール２０を介して供給ローラーを設けて補助された文書出力ホールへとペーパーシュート２６上に載置された文書１３を運搬するための取り外し可能ＡＤＦ２２とを備える。
【０００７】
ＡＤＦスキャナー１０のプロセッサ１８は、以下の目的で設置される。つまり、（１）走査モジュール２０がホーム位置ＨＰから、第１所定距離だけホーム位置ＨＰから離れた走査位置ＳＳＰへと動くのを制御し、且つ、走査モジュール２０が走査位置ＳＳＰから透明文書ボード１４の全体を介して動いて透明文書ボード１４上に載置された文書１１のデータを取り込むのを制御するため；或いは、（２）走査モジュール２０を制御してホーム位置ＨＰから、第２所定距離だけホーム位置ＨＰから離れたＡＤF走査位置ＡＤＦＳＳＰへと動くのを制御し、ＡＤＦ２２が、自動フィーダーホール２４からＡＤF走査位置ＡＤＦＳＳＰを介して文書出力ホールへと移動する、ペーパーシュート２６上に載置された文書１３を運搬するのを制御し、且つ、ＡＤF走査位置ＡＤＦＳＳＰ上に配置された走査モジュール２０を制御して、文書１３のデータを取り込むため；である。
【０００８】
明らかなように、走査モジュール２０を制御してホーム位置ＨＰから、走査位置ＳＳＰ又はＡＤＦ走査位置ＡＤＦＳＳＰのいずれかへと移動する工程中、プロセッサ１８は、透明文書ボード１４と走査位置ＳＳＰとの及びＡＤＦ２２とＡＤＦ走査位置ＡＤＦＳＳＰとの相対的な位置関係などの他の因子を考慮しない場合には、所定の距離（例えば、上記の第１及び第２所定距離など）のみを対象とすることは明らかである。
【０００９】
上述したように、走査モジュール２０は、ペーパーシュート２６上に載置された文書１３を取込む前に、ＡＤＦ走査位置ＡＤＦＳＳＰへと移動される必要がある。理想的には、ＡＤＦ走査位置ＡＤＦＳＳＰ上に配置された走査モジュール２０は、文書１３の最初のページから最後のページまでを正確に取込める能力がある。ＡＤＦ２２で運搬された文書１３の最初のページは、走査モジュール２０がデータの取込みを開始した瞬間に走査モジュール２０をちょうど通過する。
【００１０】
しかしながら、ＡＤＦ２２の製造工程に由来する誤差又は筐体１２上に設置され得るＡＤＦ２２の設置工程に由来する誤差に起因して、ペーパーシュート２６上に載置された文書１３のデータを取込むのを開始している際、全ての時間において正確に走査モジュール２０が既にＡＤＦ走査位置ＡＤＦＳＳＰに移動されている場合であっても、ＡＤＦ２２で運搬された文書１３の最初のページは、走査モジュール２０がデータの取込を開始した瞬間に走査モジュール２０をミス（ｍｉｓｓ）させる能力が高い。その結果、走査モジュール２０は、文書１３の最初のページ又は最後のページのいずれかのデータを取込むのをミスする。
【００１１】
さらに、ＡＤＦ２２は取り外し可能であり筐体１２から取り外されたり設置されたりされ得るし、且つ、筐体１２上に設置され得るＡＤＦ２２の設置工程に由来する上述の誤差は設置工程が既に何回実行されたかを示す設置数の増加に伴う避けがたく増加されるので、走査モジュール２０がデータの取込を開始した瞬間にＡＤＦ２２で運搬される文書１３の最初のページが走査モジュール２０を通過し得ないというＡＤＦスキャナー１０の問題は、設置数の増加に伴う悪化する。
【考案の開示】
【考案が解決しようとする課題】
【００１２】
従って、本考案の主目的は、上述の問題を解決するように、走査モジュールがＡＤＦ走査位置上に正確に位置付けされ得るＡＤＦスキャナーを提供することである。
【課題を解決するための手段】
【００１３】
本考案によると、自動文書フィーダースキャナーは、筐体と、第１文書を運搬する、筐体に設置された自動文書フィーダーと、自動文書フィーダーの底面上に設置された、第１（ＡＤＦ）走査位置に対して第１特異相対位置関係を有する第１所定パターンと、第１文書の画像データを取込み、走査モジュールで取込まれた第１所定パターンの画像データを解析して走査モジュールと第１走査位置との距離を同定する、筐体に設置された走査モジュールと、走査モジュール及びＡＤＦを制御する筐体に設置されたプロセッサとを有する。
【００１４】
好適実施例によると、走査モジュールは、第１走査位置に移動されるように制御される場合、第１文書の全体を取込み得る。
【００１５】
本考案の上述及びその他の目的は、複数の図面で示した好適実施例に関する以下の詳細な説明により、当業者に疑いなく明らかとなるであろう。
【考案の効果】
【００１６】
本考案の利点は、自動文書フィーダーの底面上に設置された、プロセッサと自動文書フィーダーと第１所定パターンとを有する自動文書フィーダースキャナーが、走査位置と第１走査位置との第１特異相対位置関係を同定し得る点であり、且つ、第１走査位置へと移動するように走査モジュールを制御し得る点である。従って、本考案による自動文書フィーダースキャナーは、製造工程及び設置工程に由来する誤差に影響されることなく、自動文書フィーダーで運搬された第１文書の全体を取込可能である。
【考案を実施するための最良の形態】
【００１７】
図３は、本考案による好適実施例に関するＡＤＦスキャナー５０の概略図である。ＡＤＦスキャナー１０と同様に、ＡＤＦスキャナー５０もまた、筐体１２と、透明文書ボード１４と、文書カバー１６と、走査モジュール２０と、ＡＤＦ２２と、ペーパーシュート２６と、文書スタッカー２８とを備える。しかしながら、ＡＤＦスキャナー５０は、プロセッサ１８を有さないが、代わりに、より強力なプロセッサ５８を有する。走査モジュール２０やＡＤＦ２２の動作を制御するなどプロセッサ１８が有する能力に加えて、プロセッサ５８は、以下に説明するその他の能力を有する。プロセッサ５８は、筐体１２に設置される。
【００１８】
製造工程や設置工程に由来する誤差に起因して走査モジュール２０が文書１３の最初のページ（又は最後のページ）のデータの取込ミスを起こすという上述の問題を解決するため、走査モジュール２０に面する、ＡＤＦスキャナー５０のＡＤＦ２２の底面上に所定パターンＰＲＮを設置する。プロセッサ５８は、走査モジュール２０と走査モジュール２０との相対的な位置関係を同定可能となり、且つ、走査モジュール２０を制御して所定パターンＰＲＮ下部の種々の位置に移動し且つ先だって所定パターンＰＲＮの画像データを取込むことにより、実際のＡＤＦ走査位置ＡＤＦＳＳＰｒｅａｌへと走査モジュール２０の移動を制御可能となる（これは、プロセッサ５８の他の能力である）。実際のＡＤＦ走査位置ＡＤＦＳＳＰｒｅａｌ上に配置された走査モジュール２０がデータの取込を開始する瞬間に取込むのは、ＡＤＦ２２で運搬された文書１３の最初のページのデータそのものである。要するに、所定パターンＰＲＮは、実際のＡＤＦ走査位置ＡＤＦＳＳＰｒｅａｌと第１特異相対位置関係にある。
【００１９】
図４は、本考案による好適実施例に関するＡＤＦ２２の底面図である。プロセッサ５８は、走査モジュール２０を制御して、移動線ＭＬに沿って前後に移動させる。所定パターンＰＲＮは、単一で立体（ｓｏｌｉｄ）の直角二等辺三角形であって、移動線ＭＬに垂直な第１側面と、第１側面に対応する第１頂角とを有する。なお、第１側面は、ペーパーシュート２６上に載置された文書１３がＡＤＦ２２の外に運搬された位置（実際のＡＤＦ走査位置ＡＤＦＳＳＰｒｅａｌ）上に設置される。
【００２０】
ＡＤＦスキャナー５０のプロセッサ５８が走査モジュール２０を制御して実際のＡＤＦ走査位置ＡＤＦＳＳＰｒｅａｌに移動させる方法について説明する：最初に、プロセッサ５８は、走査モジュール２０を制御して、ホーム位置ＨＰから移動線ＭＬに沿って所定パターンＰＲＮの下部の位置へと移動させる；プロセッサ５８は、その後、走査モジュール２０を制御して、電荷結合素子（ＣＣＤ）など走査モジュール２０の光検知装置が設置されている中央線ＣＬに対応する所定パターンＰＲＮの画像データを取込ませる；プロセッサ５８は取込まれた画像データの長さ、つまり、所定パターンＰＲＮが所定パターンＰＲＮの下部の位置上に配置された走査モジュール２０で取込まれたものの２つの終点間の距離を測定し、走査モジュール２０が制御されて実際のＡＤＦ走査位置ＡＤＦＳＳＰｒｅａｌに到達するのにどの程度移動されるべきかを同定する。所定パターンＰＲＮは直角二等辺三角形であり取込まれた画像データの長さはこの取込画像から第１頂角の距離に等しいので、取込画像データの長さを測定した後、プロセッサ５８は、この取込画像データの下部に配置される走査モジュール２０を制御して測定された長さを移動させる必要がある；走査モジュール２０を制御して実際のＡＤＦ走査位置ＡＤＦＳＳＰｒｅａｌに移動させた後、プロセッサ５８は、走査モジュール２０を制御してデータを取込ませてもよい。上述の工程において、製造工程や設置工程に由来する誤差がいかほどにも深刻であろうとも、データの取込が開始された瞬間に走査モジュール２０が取込むのは、文書１３の最初のページのデータである。
【００２１】
上述のＡＤＦ２２の底面上に設置された所定パターンＰＲＮは、単一の直角二等辺三角形であって、その第１頂角は、実際のＡＤＦ走査位置ＡＤＦＳＳＰｒｅａｌ上に配置される。本考案のＡＤＦスキャナーにおいて、ＡＤＦスキャナーのＡＤＰの底面上に設置される所定パターンは、方形、円形及び線などの種々の形状で立体又は中空などの種々のタイプで１つ以上などの種々の数を有してもよく、所定パターンＰＲＮのように実際のＡＤＦ走査位置ＡＤＦＳＳＰｒｅａｌに接触する必要はなく、取込まれた画像データと実際のＡＤＦ走査位置ＡＤＦＳＳＰｒｅａｌとの相対的な位置関係に関連する移動線ＭＬに垂直な所定パターンの取込まれた画像データの種々の２つの終点間の距離と同様の長さ（立体の所定パターン）又は距離であってもよい。従って、取込画像データの長さを測定した後、プロセッサ５８は、実際のＡＤＦ走査位置ＡＤＦＳＳＰ上に到達するように、走査モジュール２０を制御して取込画像データから第１頂角への距離をどの程度移動させるかを同定してもよい。
【００２２】
所定パターンは、所定領域内のＡＤＦ２２の底面上に設置される必要があることに留意する。なお、所定領域とは、移動線ＭＬに沿って移動する走査モジュール２０が所定パターンの種々の画像データを取得し得る場所であるか、プロセッサ５８が走査モジュール２０と実際のＡＤＦ走査位置ＡＤＦＳＳＰｒｅａｌとの相対位置関係を同定し得ない場所をいう。
【００２３】
ＡＤＦスキャナー５０に関し、プロセッサ５８は、取込まれた種々の所定パターンＰＲＮの画像データの長さを測定し、（同様に、プロセッサ５８は、走査モジュール２０で取込まれた所定パターンＰＲＮの画像データを解析し、）走査モジュール２０が実際のＡＤＦ走査位置ＡＤＦＳＳＰｒｅａｌからどの程度離れて配置されているかを同定する。しかしながら、本考案のＡＤＦスキャナーに関し、プロセッサは、複数の画像コードＣＯＤＥを有する所定パターンＰＲＮＣＯＤＥに対してマッピング工程を施すことにより、走査モジュール２０と実際のＡＤＦ走査位置ＡＤＦＳＳＰｒｅａｌとの相対的な位置関係をさらに同定し得る。
【００２４】
所定パターンＰＲＮＣＯＤＥは、複数の画像コードＣＯＤＥを備え、その全ては、移動線ＭＬに垂直である。所定パターンＰＲＮの取込画像データの長さを測定し走査モジュール２０と実際のＡＤＦ走査位置ＡＤＦＳＳＰｒｅａｌとの相対位置関係を同定する図４に示したＡＤＦスキャナー５０のプロセッサ５８とは異なり、図５に示すＡＤＦスキャナー５０のプロセッサ５８は、走査モジュール２０と実際のＡＤＦ走査位置ＡＤＦＳＳＰｒｅａｌとの相対位置関係を、所定パターンＰＲＮＣＯＤＥに対するマッピング処理により同定する。実際には、プロセッサ５８は、走査モジュール２０で取込まれた所定パターンＰＲＮＣＯＤＥの種々の位置における画像コードＣＯＤＥをマッピングテーブルにマッピングし、取込まれた画像コードＣＯＤＥに対応する長さを発見し、且つ、走査モジュール２０を制御して、実際のＡＤＦ走査位置ＡＤＦＳＳＰｒｅａｌ上に到達させる移動させるのに十分な長さを移動させる。
【００２５】
第２の実施例において、画像コードＣＯＤＥは、所定パターンＰＲＮＣＯＤＥに保存された複数の識別暗号に類似しており、プロセッサ５８は、この暗号をデコードした後、走査モジュール２０を制御して暗号がマッピングした距離に等しい距離だけ移動させる。
【００２６】
所定パターンＰＲＮ（及び所定パターンＰＲＮＣＯＤＥ）はＡＤＦスキャナー５０のホーム位置ＨＰ上に設置されていないので、上述のように、プロセッサ５８は、走査モジュール２０を制御してホーム位置ＨＰから第１に所定パターンＰＲＮの下部の位置へと移動させ、その後、走査モジュール２０を制御して、この位置上の所定パターンＰＲＮの画像データを取得させ、且つ、走査モジュール２０と実際のＡＤＦ走査位置ＡＤＦＳＳＰｒｅａｌとの相対的な位置関係を同定する。しかしながら、本考案のＡＤＦスキャナーにおいて、所定パターンＰＲＮは、ちょうど上のＡＤＦ２２の底面位置に設置されてもよく、従って、プロセッサ５８はＡＤＦスキャナーがオン状態となった後、走査モジュール２０を制御して直接中央線ＣＬに面する所定パターンＰＲＮの画像データを取得させ、且つ、即座に、走査モジュール２０をどの程度移動制御すべきかを同定する。
【００２７】
同様に、先行技術のＡＤＦスキャナー１０は、ホーム位置ＨＰに原点が存在する参照座標として筐体１２としている。プロセッサ１８は、ＡＤＦ２２と筐体１２の相対的な位置関係及び走査モジュール２０と実際のＡＤＦ走査位置ＡＤＦＳＳＰｒｅａｌとの相対的な位置関係を無視して、走査モジュール２０を制御して、ホーム位置ＨＰから、第１所定距離だけホーム位置ＨＰから離れたＡＤＦ走査位置ＡＤＦＳＳＰへと移動させる。ＡＤＦスキャナー１０の走査モジュール２０は、文書１３の最初のページ又は最後のページの取込をミスすることに疑いはない。逆に、本考案のＡＤＦスキャナー５０は、参照座標をＡＤＦ２２とする。なお、この参照座標は、「浮遊する（ｆｌｏａｔｉｎｇ）」原点が、走査モジュール２０の中央線ＣＬに面する所定パターンＰＲＮの画像データである場所である（「浮遊する」原点とは、走査モジュール２０で取込まれた画像データの変化が浮遊するということである）。プロセッサ５８は、実際のＡＤＦ走査位置ＡＤＦＳＳＰｒｅａｌに到達するように、走査モジュール２０を制御し、「浮遊する」原点から、特定の長さを有する距離だけ移動させる（この特定の長さがどのようにして同定されるかは、上述した通りであって、以下の説明は省略する）。また、プロセッサ５８は、走査モジュール２０を制御して、文書１３を取込ませる。従って、ＡＤＦ２２と筐体１２との相対的な位置関係がいかなる状態であっても、且つ、製造工程や設置工程に起因する誤差がいかに重大であろうとも、プロセッサ５８は、常に、走査モジュール２０を制御して、実際のＡＤＦ走査位置ＡＤＦＳＳＰｒｅａｌに移動させ、且つ、走査モジュール２０は、文書１３の最初のページ又は最後のページの取込ミスを起こすことなく、常に、完全な文書１３を取得し得る。
【００２８】
図４及び図５に示すように、ＡＤＦ２２の底面上に所定パターンＰＲＮを設置し走査モジュール２０と実際のＡＤＦ走査位置ＡＤＦＳＳＰｒｅａｌとの相対的な位置関係を同定する機序は、本考案において実施例として開示した。当業者は、ＡＤＦスキャナーに関する種々の改変及び変更は、本考案の教示を守りＡＤＦスキャナーが走査モジュール２０とＡＤＦ２２との相対的な位置関係を同定する能力を有する限り可能であることを認識するであろう。
【００２９】
文書１３を取込み得る能力ばかりでなくＡＤＦスキャナーの走査モジュール２０は、透明文書ボード１４上に載置された文書１１を取込む能力を有し、走査モジュール２０とＡＤＦ２２との相対的な位置関係を同定する上述の同定機序は、走査モジュール２０と透明文書ボード１４との相対的な位置関係を同定するのに適用されてもよい。同様に、透明文書ボード１４は、底面と、この底面上に設置された所定パターンＰＲＮ１とを備える。所定パターンＰＲＮ１は、実際の走査位置ＳＳＰｒｅａｌに対して第２の特異相対位置関係を有し、その上、走査モジュール２０は、透明文書ボード１４上に載置された文書１１の全体を取込んでもよい。プロセッサ５８は、走査モジュール２０で取込まれた種々の位置における所定パターンＰＲＮ１の同定された画像データを分析し走査モジュール２０と実際の走査位置ＳＳＰｒｅａｌからどの程度離れているかを同定する能力をさらに有する。実際の走査位置ＳＳＰｒｅａｌを同定した後、プロセッサ５８は、先行技術のＡＤＦスキャナー１０の走査位置ＳＳＰに代わって、走査モジュール２０を制御し、実際の走査位置ＳＳＰｒｅａｌに移動させる。
【００３０】
先行技術とは対照的に、本考案は、筐体と、プロセッサと、走査モジュールと、ＡＤＦと、ＡＤＦの底面上に設置された所定パターンとを備えるＡＤＦスキャナーを提供する。プロセッサは、所定パターンを分析する能力を有し、且つ、走査モジュールの移動を制御する。従って、この走査モジュールは、製造工程や設置工程に由来する誤差がいかに重大なものであるかに配慮することなく、走査の準備が完了した文書の全てのデータを取得可能である。
【００３１】
当業者は、本考案に係る種々の改変及び変更が本考案の教示の範囲内で行い得ることを即座に理解するであろう。従って、上述の開示内容は、添付した実用新案登録請求の境界でのみ限定して解釈されるべきである。
【図面の簡単な説明】
【００３２】
【図１】先行技術におけるＡＤＦスキャナーに関する概略図である。
【図２】先行技術におけるＡＤＦスキャナーに関する概略図である。
【図３】本考案の好適実施例によるＡＤＦスキャナーの概略図である。
【図４】本考案による図３に示したＡＤＦスキャナーのＡＤＦの底面図である。
【図５】本考案の第２の好適実施例によるＡＤＦの底面上に設置された所定パターンの拡大図である。
【符号の説明】
【００３３】
１０    ＡＤＦスキャナー
１１    文書
１２    筐体
１３    文書
１４    透明文書ボード
１６    文書カバー
１８    プロセッサ
２０    走査モジュール
２２    ＡＤＦ
２４    自動フィーダーホール
２６    ペーパーシュート
２８    文書スタッカー
５０    ＡＤＦスキャナー
５８    プロセッサ
【図１】
0003109830.tif 000003
【図２】
0003109830.tif 000004
【図３】
0003109830.tif 000005
【図４】
0003109830.tif 000006
【図５】
0003109830.tif 000007